(57)【特許請求の範囲】
【請求項１】
表示部と、入力装置と、各種処理を行う中央処理装置と、前記中央処理装置からアクセス可能であり、地図データベース、設備図形データベース、設備属性データベースを備え、ケーブルの接続と該ケーブルを構成する心線の接続とを管理するケーブル心線管理システムであって、
前記入力装置により心線接続処理が選択されると、前記表示部に心線接続画面が表示され、
前記入力装置により入力された地図情報の位置により、前記地図データベースを検索し、地図情報の位置により、前記設備図形データベースの情報を検索し、
前記入力装置を操作して、設備検索画面の検索条件に、設備属性を設定して検索すると、検索条件により、前記設備属性データベースの情報を検索し、検索した情報に基づいて、検索結果に設備属性を表示し、前記入力装置を操作して、編集対象の設備として前記設備属性データベースからケーブルを選択し、接続すべき第１のケーブルが前記設備属性データベースより複数の心線を有するテープ心線である場合には、前記心線接続画面に、前記第１のケーブルのケーブルＩＤにより特定され、前記設備属性データベースにおける、心線数の情報を有するケーブル情報と関連付けされた心線情報に基づいて、前記心線接続画面に、選択対象となる第１のテープ心線一覧が前記表示部に表示されるとともに、前記第１のケーブルと接続される第２のケーブルのケーブルＩＤにより特定され、心線数の情報を有するケーブル情報と関連付けされた心線情報に基づいて、前記中央処理装置が、前記心線接続画面に、選択対象となる第２のテープ心線一覧を表示し、
前記入力装置により前記第１及び第２のテープ心線一覧から、それぞれ第１のテープ心線及び第２のテープ心線が選択されると、それぞれの全ての心線が選択状態となるとともに、選択された全ての心線について、前記中央処理装置が、前記第１のテープ心線と前記第２のテープ心線とで心線単位で対比可能な表示形態で表示し、
前記心線単位で対比可能な表示形態での表示は、前記中央処理装置が、前記第１及び第２のテープ心線一覧の表示領域とは別領域に、一画面で表示することを特徴とするケーブル心線管理システム。
【発明の詳細な説明】
【技術分野】
【０００１】
本発明は、ケーブル心線管理システムに関し、特に、通信網として利用されているケーブル、心線等の設計、管理を行うためのケーブル心線管理技術に関する。
【背景技術】
【０００２】
インターネットの普及に伴い、インターネットの利用者は急激に増加している。このため、インフラであるケーブルを用いた通信網の整備が急速に進められている。これらの整備及び通信サービスを提供する通信事業者は、通信網である通信設備の設計及び管理を行うために、コンピュータによる管理システムを導入している。
【０００３】
ケーブルを用いた通信網の設計、管理をコンピュータにより行うものとして、例えば、下記特許文献１に記載された技術が知られている。下記特許文献１に記載の技術によれば、通信網であるケーブルやケーブルを構成する光ファイバ等の心線及び心線の接続を設計、管理するものである。また、通信整備の工事データの管理を行うものとして、例えば、下記特許文献２に記載された技術が知られている。下記特許文献２に記載の技術は、通信網である設備の工事計画に関するデータを体系的に管理するものである。
【０００４】
【特許文献１】特開２００３−１４１１９４号公報
【特許文献２】特開２００３−９９５７２号公報
【発明の開示】
【発明が解決しようとする課題】
【０００５】
しかしながら、上記特許文献１に記載の技術は、ケーブルを構成する光ファイバ等の心線の接続を管理する方法として、オペレータが、接続する互いの心線番号を入力して接続情報を作成し、管理する方法を用いている。この管理方法では、オペレータによる心線番号の入力ミスが発生しやすいという問題点がある。
【０００６】
また、ケーブル内の心線数は一般的に多いものでは数千本にも達し、数千本の心線を接続する場合に一々心線番号を入力していたのでは、作業効率が悪いという問題もある。
【０００７】
さらに、上記特許文献１及び上記特許文献２に記載の技術は、設備の属性情報から、配線工事等に使用される工事指示書等を作成することが出来ない。
【０００８】
本発明の目的は、通信設備の管理を行う労力を軽減することである。また、通信設備の設計から工事指示書の作成までを一括して管理することである。
【課題を解決するための手段】
【０００９】
上記目的を達成するために、本発明によるケーブル心線管理システムは、心線の接続を行う場合に、接続する心線を画面に一覧表示して心線を選択することによって心線を接続する手段と、心線をケーブル構造のテープ単位でグループ化して管理することによって、グループ単位に一括して心線を接続する手段と、を有することを特徴とするものである。
【００１０】
また、前記ケーブルに関する情報と、前記心線に関する情報と、前記ケーブルと前記心線とに関連する設備に関する情報と、に工事番号を含めることにより、ケーブル工事に関する工事指示書であって、ケーブル名と、接続すべき心線番号と、接続形態と、関連する設備に関する情報を含む工事指示書を作成する工事指示書作成手段を有すること特徴とするものである。
【発明の効果】
【００１１】
本発明によれば、ケーブルの心線を接続する計画を立案する場合に、心線を画面に一覧表示させることができる。従って、ユーザは、心線を選択し接続する計画を対話操作で行うことができる。
【００１２】
また、心線をケーブル構造のテープ単位でグループ化して管理することによって、グループ単位に一括して心線を接続する計画を立案することができる。
【００１３】
更に、入力した設備属性情報から工事指示書等を作成することができる。
【００１４】
その結果、通信設備の管理を行う労力を大幅に軽減することができるという利点がある。また、通信設備の設計から工事指示書の作成までを一括して管理することが可能となり、通信設備の管理を効果的に行うことができる。
【発明の実施するための最良の形態】
【００１５】
以下、本発明の一実施の形態によるケーブル心線管理システムについて、図面を参照して説明する。
【００１６】
図１は、本実施の形態によるケーブル心線管理システムの機能ブロック図である。図１に示すように、ケーブル心線管理システムは、地形、道路、家枠等の地図やケーブル、心線等の設備を表示するＬＣＤなどの表示装置１と、各種処理の指示、データ入力を行うマウス、キーボードなどの入力装置２と、各種処理を行う中央処理装置（ＣＰＵ）３と、処理結果の印刷等の出力を行う出力装置４と、ＣＰＵ３からアクセスすることができるデータベースであって、地図データを登録する地図データベース（ＤＢ）５と、設備の図形データを登録する設備図形ＤＢ６と、設備の属性データを登録する設備属性ＤＢ７と、を含むデータベースにより構成されている。
【００１７】
尚、本実施の形態によるケーブル心線管理システムは、１台のコンピュータによる構成に限定されるものではない。例えば、複数台のコンピュータをインターネット等のネットワークにより接続し、データベースを有するコンピュータをサーバとしてデータを一元管理する構成であっても良い。
【００１８】
図２は、本実施の形態によるケーブル心線管理システムで管理するデータの項目と関連を示すデータ関連図である。図２において、ケーブル情報２０１は、ケーブルID、ケーブル名、端１設備種別、端１設備ID、端２設備種別、端２設備ID、ケーブル種別、ケーブル長、心線数、工事番号、登録状態を含む項目を管理する。ケーブルIDはケーブル情報のデータを特定する主キーである。ケーブル名はケーブルに付与する任意の名称である。端１設備種別、端１設備ID、端２設備種別、端２設備IDは、ケーブル両端にそれぞれ設けられる設備の種別と設備のIDである。ケーブル種別はケーブルがどのような種別のケーブルであるかを示す。ケーブル長はケーブルの長さである。心線数はケーブル内の心線の数である。工事番号はケーブルを工事する場合の工事番号である。登録状態はケーブルの登録状態であり、工事前の設計段階では「仮登録」となっており、工事完了後は「既設登録」となる。
【００１９】
心線情報２０２は、心線ID、ケーブルID、テープ番号、心線種別、線番、工事番号、登録状態を含む項目を管理する。心線IDは心線情報のデータを特定する主キーである。ケーブルIDは心線の属するケーブル情報のIDである。テープ番号はケーブル構造のテープ番号である。心線種別は心線の種別である。線番は心線の番号である。工事番号は心線の工事番号である。登録状態は心線の登録状態である。光ケーブルにおいては、限られたケーブル内空間を有効利用することが重要である。そこで、４心又は８心などの光ファイバ素線を整列させたテープ心線が利用されている。
【００２０】
心線接続点情報２０３は、心線接続点ID、端１心線ID、端２心線ID、接続点種別、工事番号、登録状態を含む項目を管理する。心線接続点IDは心線接続点情報のデータを特定する主キーである。端１心線ID、端２心線IDは、接続する端１側、端２側のそれぞれの心線のIDである。接続点種別は接続点の種別である。工事番号は心線接続点の工事番号である。登録状態は心線接続点の登録状態である。
【００２１】
心線ルート情報２０４は、心線ルートID、最上部心線ID、最下部心線ID、工事番号、登録状態を含む項目を管理する。心線ルートIDは心線ルート情報のデータを特定する主キーである。最上部心線ID、最下部心線IDは、心線を接続した場合の最上部と最下部とのそれぞれの心線IDである。工事番号は心線ルートの工事番号である。登録状態は心線ルートの登録状態である。
【００２２】
工事情報２０５は、工事番号、工事件名、工事種別、発注者名、請負者名、工事概要、工事開始年月日、工事終了年月日を含む項目を管理する。工事番号は工事情報のデータを特定する主キーである。工事件名は工事の件名である。工事種別は工事の種別である。発注者名は工事の発注者の名称である。請負者名は工事の請負者の名称である。工事概要は工事の概要である。工事開始年月日は工事の開始する年月日である。工事終了年月日は工事を終了する年月日である。
【００２３】
クロージャ情報２０６は、クロージャID、クロージャ名、クロージャ種別、設置設備ID、工事番号、登録状態を含む項目を管理する。クロージャIDはクロージャ情報のデータを特定する主キーである。クロージャ名はクロージャに付与する任意の名称である。クロージャ種別はクロージャの種別である。設置設備IDはクロージャを設置した設置設備情報のIDである。工事番号はクロージャの工事番号である。登録状態はクロージャの登録状態である。
【００２４】
局情報２０７は、局ID、局名、局種別、設置設備ID、工事番号、登録状態を含む項目を管理する。局IDは局情報のデータを特定する主キーである。局名は局に付与する任意の名称である。局種別は局の種別である。設置設備IDは局を設置した設置設備情報のIDである。工事番号は局の工事番号である。登録状態は局の登録状態である。
【００２５】
図２において、装置情報２０８は、装置ID、装置名、装置種別、設置設備ID、工事番号、登録状態を含む項目を管理する。装置IDは装置情報のデータを特定する主キーである。装置名は装置に付与する任意の名称である。装置種別は装置の種別である。設置設備IDは装置を設置した設置設備情報のIDである。工事番号は装置の工事番号である。登録状態は装置の登録状態である。
【００２６】
設置設備情報２０９は、設置設備ID、設置設備名、設置設備種別、工事番号、登録状態を含む項目を管理する。設置設備IDは設置設備情報のデータを特定する主キーである。設置設備名は設置設備に付与する任意の名称である。設置設備種別は設置設備の種別である。工事番号は設置設備の工事番号である。登録状態は設置設備の登録状態である。
【００２７】
回線情報２１０は、回線番号、回線名、回線種別、心線ルートID、顧客番号、工事番号、登録状態を含む項目を管理する。回線番号は回線情報のデータを特定する主キーである。回線名は回線に付与する任意の名称である。回線種別は回線の種別である。心線ルートIDは回線を割り当てた心線ルート情報のIDである。顧客番号は回線の顧客情報のIDである。工事番号は回線の工事番号である。登録状態は回線の登録状態である。
【００２８】
顧客情報２１１は、顧客番号、顧客名、工事番号、登録状態を含む項目を管理する。顧客番号は顧客情報のデータを特定する主キーである。顧客名は顧客の名称である。工事番号は顧客の工事番号である。登録状態は顧客の登録状態である。  尚、管理する情報や項目は上記の項目に限定されるものではない。必要に応じて変更や追加、削除が可能である。
【００２９】
次に、図２に矢印で示した関連について説明する。心線情報２０２のケーブルＩＤは、その心線を含むケーブル情報２０１のケーブルのＩＤと対応する。心線接続点情報２０３の端１心線ＩＤと端２心線ＩＤ及び心線ルート情報２０４の最上部心線ＩＤと最下部心線ＩＤとは、これらの心線を含む心線情報２０２の心線ＩＤと対応する。ケーブル情報２０１、心線情報２０２、心線接続点情報２０３、心線ルート情報２０４、回線情報２１０、顧客情報２１１、設置設備情報２０９、装置情報２０８，局情報２０７、クロージャ情報２０６、のそれぞれの工事番号は、工事情報２０５の工事番号と対応する。クロージャ情報２０６の設置設備ＩＤと局情報２０７の設置設備ＩＤと装置情報２０８の設置設備ＩＤは、設置設備情報２０９の設置設備ＩＤと対応する。回線情報２１０の心線ルートＩＤは心線ルート情報２０４の心線ルートＩＤと対応する。回線情報２１０の顧客番号は、顧客情報２１１の顧客番号と対応する。以上の対応関係により、それぞれの情報２０１から２１１までが関連付けされている。
【００３０】
図３は、本実施の形態によるケーブル心線管理システムにおける処理手順の流れを示すフロ−チャ−ト図である。適宜、図１及び図４以下の表示画面に関する図面を参照して説明を行う。
【００３１】
オペレータが入力装置２を操作して、ケーブル心線管理システムを起動すると、表示装置１に図４に示すメイン画面４００が表示される（ステップ３０１）。次に、オペレータが入力装置２を操作して、図４の地図検索４０１を選択すると、表示装置１に図５に示す地図検索画面５００が表示される（ステップ３０２）。この地図検索画面５００における検索条件には、住所や緯経度、索引図、目標物等があるが、ここでは、住所検索を例に説明する。
【００３２】
オペレータが入力装置２を操作して、地図検索画面５００の検索条件５０１に、住所を設定して、検索５０２を選択すると、地図ＤＢ５の情報を検索し、検索した情報に基づいて、検索結果５０３に地図情報を表示する。次に、検索結果５０３の地図情報を選択して、地図表示５０４を選択することにより、地図情報の位置により、地図ＤＢ５の情報を検索し、検索した情報に基づいて、図４に示すビューポート４０９に地図を表示する。さらに、地図情報の位置により、設備図形ＤＢ６の情報を検索し、検索した情報に基づいて、ビューポート４０９に設備図形を表示する。次に、オペレータが入力装置２を操作して、地図検索画面５００の閉じる５０５を選択すると、表示装置１から地図検索画面５００が消去される。すなわち、地図検索画面５００は、地図を検索する処理が終了し、画面に表示しておく必要が無くなった場合に、閉じる５０５を選択することにより消去することができる。以上の仕組みにより、地図及び設備図形を検索してビューポート４０９に表示することが可能となる。
【００３３】
次に、オペレータが入力装置２を操作して、図４の設備検索４０２を選択すると、表示装置１に図６に示すような設備検索画面６００が表示される（ステップ３０３）。検索対象の設備には、ケーブル、心線、心線接続点、心線ルート、工事、クロージャ、局、装置、設置設備、回線、顧客等があるが、ここでは、ケーブルの検索を例に説明する。
【００３４】
オペレータが入力装置２を操作して、設備検索画面６００の検索条件６０１に、設備名称等の設備属性を設定して、検索６０２を選択すると、検索条件により、設備属性ＤＢ７の情報を検索し、検索した情報に基づいて、検索結果６０３に設備属性を表示する。次に、オペレータが入力装置２を操作して、検索結果６０３の設備属性を選択して、地図表示６０４を選択すると、設備属性の情報により、設備図形ＤＢ６の情報を検索し、検索した情報に基づいて、ビューポート４０９に設備図形を表示する。更に、設備属性の配置位置により、地図ＤＢ５の情報を検索し、検索した情報に基づいて、ビューポート４０９に地図を表示する。次に、オペレータが入力装置２を操作して、検索結果６０３の設備属性を選択して、属性表示６０５を選択すると、選択した設備属性に基づいて、表示装置１に図１０に示すような属性表示画面１０００が表示される。次に、オペレータが入力装置２を操作して、設備検索画面６００の閉じる６０６を選択すると、表示装置１から設備検索画面６００が消去される。これにより、設備を検索してビューポート４０９に表示することが可能となる。
【００３５】
次に、オペレータが入力装置２を操作して、図４の設備編集４０３を選択すると、表示装置１に図７に示すような設備編集画面７００が表示される（ステップ３０４）。図７に示すように、編集対象の設備にはケーブル、心線、心線接続点、心線ルート、工事、クロージャ、局、装置、設置設備、回線、顧客等があるが、ここでは、ケーブルを編集する例について説明する。
【００３６】
オペレータが入力装置２を操作して、設備編集画面７００の設備属性７０１に属性情報を設定し、設備配置７０２を選択してビューポート４０９の位置を指定すると、設備図形ＤＢ６に当該設備の図形情報を登録し、設備図形を地図上に配置する。更に、設定した属性情報を設備属性ＤＢ７に登録する。オペレータが入力装置２を操作して、設備編集画面７００の設備移動７０３を選択し、地図上の設備図形を選択して、地図上の配置位置を指定すると、設備図形ＤＢ６の当該設備の図形情報が更新され、指定した設備図形が指定した配置位置に移動する。オペレータが入力装置２を操作して、設備編集画面７００の設備削除７０４を選択し、地図上の設備図形を選択すると、設備図形ＤＢ６の当該設備の図形情報が削除され、指定した地図上の設備図形も削除される。次に、オペレータが入力装置２を操作して、設備編集画面７００の閉じる７０５を選択すると、表示装置１から設備編集画面７００が消去される。これにより、設備の登録や移動、削除が可能となる。
【００３７】
次に、オペレータが入力装置２を操作して、図４の心線接続４０４を選択すると、表示装置１に図８に示す心線接続画面８００を表示する（ステップ３０５）。心線の接続処理については、後で詳しく説明する。
【００３８】
次に、オペレータが入力装置２を操作して、図４の登録状態４０５を選択すると、表示装置１に図９に示す登録状態画面９００を表示する（ステップ３０６）。登録状態の処理には登録状態を変更する「変換」と、登録状態の初期値を定める「設定」とがあるが、ここでは、「変換」を例に説明する。オペレータが入力装置２を操作して、登録状態画面９００の工事番号９０１に工事番号を選択し、登録状態９０２を設定して変換９０３を選択すると、設備属性ＤＢ７の上記工事番号「ｘｘｘｘｘｘｘｘｘｘ」を持つ設備属性情報の登録状態を登録状態９０２に設定した登録状態（ここでは、既設）に変更する。次に、オペレータが入力装置２を操作して、登録状態画面９００の閉じる９０４を選択すると、表示装置１から登録状態画面９００が消去される。これにより、設計作業により登録された仮登録の状態である設備属性を工事完了後に既設登録状態に変換することが可能となる。
【００３９】
次に、オペレータが入力装置２を操作して、図４の属性表示４０６を選択すると、表示装置１に図１０に示すような属性表示画面１０００が表示される（ステップ３０７）。属性表示対象の設備にはケーブル、心線、心線接続点、心線ルート、工事、クロージャ、局、装置、設置設備、回線、顧客等があるが、ここでは、ケーブルの属性表示を例に説明する。オペレータが入力装置２を操作して、属性表示画面１０００の設備選択１００２を選択し、地図上の設備を選択すると、設備図形ＤＢ６より選択された設備の情報を検索し、検索された情報に基づいて、設備属性１００１に設備の属性情報が表示される。次に、オペレータが入力装置２を操作して、属性表示画面１０００の閉じる１００３を選択すると、表示装置１から属性表示画面１０００が消去される。これにより、設備の属性情報の表示が可能となる。
【００４０】
次に、オペレータが入力装置２を操作して、図４の帳票管理４０７を選択すると、表示装置１に図１１に示すような帳票管理画面１１００を表示する（ステップ３０８）。オペレータが入力装置２を操作して、帳票管理画面１１００の設備検索１１０２を選択し、設備属性ＤＢ７の工事情報を検索すると、工事情報１１０１に検索した工事情報が表示される。次に、オペレータが入力装置２を操作して、帳票管理画面１１００の帳票作成１１０３を選択すると、設備属性ＤＢ７の当該工事情報及び当該心線情報及び当該心線接続点情報に基づいて、ビューポート４０９に図１２に示すような工事指示書が表示される。工事指示書は、工事件名と、工事番号、発注者名、請負者名、工期、工種（図では心線接続）、工事概要、ケーブルに関する属性の一覧が表示されている。次に、オペレータが入力装置２を操作して、帳票管理画面１１００の帳票印刷１１０４を選択すると、出力装置４に作成した工事指示書を出力する。次に、オペレータが入力装置２を操作して、帳票管理画面１１００の閉じる１１０５を選択すると、表示装置１から帳票管理画面１１００が消去される。これにより、設備属性ＤＢ７の情報から工事指示書を作成することが可能となる。
【００４１】
次に、オペレータが入力装置２を操作して、図４のシステム終了４０８を選択すると、表示装置１からメイン画面４００が消去され、システムが終了する（ステップ３０９）。
【００４２】
以下に、本実施の形態によるシステムの特徴の１つである、心線をケーブル構造のテープ単位にグループ化して管理し、画面による対話操作で心線を接続する方法について説明する。図１３は、本実施の形態によるケーブル心線管理システムにおける心線接続の処理手順を示す図である。他の図も適宜参照して説明する。
【００４３】
まず、オペレータが入力装置２を操作して、図８に示す心線接続画面８００のケーブル１の設備検索８０３及びケーブル２の設備検索８０４を選択し、ケーブル情報を検索すると（ステップ１３０１）、検索結果として得られたケーブルの心線を心線一覧８０１及び心線一覧８０２に表示される（ステップ１３０２）。次に、オペレータが入力装置２を操作して、心線一覧８０１及び心線一覧８０２から、接続を行う心線を選択する（ステップ１３０３）。
【００４４】
ここで、本実施の形態による管理システムにおいては、複数の心線をテープで束ねたテープ心線を選択した場合、例えばケーブル１の心線一覧において、ＸＸケーブル１のテープ１を選択すると、線番１〜４までの４本のテープ心線に含まれる全ての心線を選択することができる。心線を選択すると、選択した心線の接続情報が心線接続一覧８０６に一覧表示される（ステップ１３０４）。一方ケーブル２に関しても、テープ２を選択すると、線番５〜８までの４本のテープ心線に含まれる全ての心線を選択することができる。
【００４５】
次に、オペレータが入力装置２を操作して、接続形態８０５を選択する（ステップ１３０５）。接続形態には、切断、融着、コネクタ、カプラ、メカニカルスプライス等が含まれる。次に、オペレータが入力装置２を操作して、心線接続一覧８０６の心線接続点情報を選択する（ステップ１３０６）。
【００４６】
次に、オペレータが入力装置２を操作して、心線接続画面８００の確定８０７を選択すると、心線接続一覧８０６の選択した心線接続点情報の接続形態が接続形態８０５で選択した接続形態に変更される（ステップ１３０７）。次に、オペレータが入力装置２を操作して、心線接続画面８００の登録８０８を選択すると、変更した接続形態で設備属性ＤＢ７の心線接続点情報が更新される（ステップ１３０８）。次に、オペレータが入力装置２を操作して、心線接続画面８００の閉じる８０９を選択すると、表示装置１から心線接続画面８００が消去される。このように、対話操作により心線を接続する計画を立案することが可能となり、さらに、複数の心線をテープ単位で一括して接続することができるために、効率よく心線の接続作業を行うことが可能となる。
【産業上の利用可能性】
【００４７】
本発明は、光ケーブルの管理に利用可能である。
【図面の簡単な説明】
【００４８】
【図１】本発明の一実施の形態によるケーブル心線管理システムの一構成例を示す機能ブロック図である。
【図２】ケーブル心線管理システムで管理されるデータの項目とそれらの関連とを示すデータ構成図である。
【図３】ケーブル心線管理システムの処理手順の一例を示すフロ−チャ−ト図である。
【図４】ケーブル心線管理システムのメイン画面の表示例を示す図である。
【図５】ケーブル心線管理システムの地図検索画面の表示例を示す図である。
【図６】ケーブル心線管理システムの設備検索画面の表示例を示す図である。
【図７】ケーブル心線管理システムの設備編集画面の表示例を示す図である。
【図８】ケーブル心線管理システムの心線接続画面の表示例を示す図である。
【図９】ケーブル心線管理システムの登録状態画面の表示例を示す図である。
【図１０】ケーブル心線管理システムの属性表示画面の表示例を示す図である。
【図１１】ケーブル心線管理システムの帳票管理画面の表示例を示す図である。
【図１２】ケーブル心線管理システムの帳票出力の表示例を示す図である。
【図１３】ケーブル心線管理システムの心線接続の処理手順例を示すフロ−チャ−ト図である。
【符号の説明】
【００４９】
１…表示装置
２…入力装置
３…中央処理装置
４…出力装置
５…地図ＤＢ
６…設備図形ＤＢ
７…設備属性ＤＢ
【図１】
0004825471.tif 000002
【図２】
0004825471.tif 000003
【図３】
0004825471.tif 000004
【図４】
0004825471.tif 000005
【図５】
0004825471.tif 000006
【図６】
0004825471.tif 000007
【図７】
0004825471.tif 000008
【図８】
0004825471.tif 000009
【図９】
0004825471.tif 000010
【図１０】
0004825471.tif 000011
【図１１】
0004825471.tif 000012
【図１２】
0004825471.tif 000013
【図１３】
0004825471.tif 000014